(57)【要約】  【課題】必要な部分を表示部として発光させることにより、スイッチノブを全面的に照明する必要がなくなるとともに、導光部と遮光部を異なる部材で形成することにより、ヒケを抑制することができる表示スイッチを提供する。  【解決手段】本発明の表示スイッチは、導光部材により形成され、被保持部を保持する保持部と、前記導光部材により前記保持部と一体に形成されて、遮光部に埋め込まれ、前記保持部に照射された光を導光することにより発光する表示部とを備える。【選択図】  図１
2013235744.tif 000002
【特許請求の範囲】
【請求項１】
導光部材により形成され、被保持部を保持する保持部と、
前記導光部材により前記保持部と一体に形成されて、遮光部に埋め込まれ、前記保持部に照射された光を導光することにより発光する表示部と
を備えることを特徴とする表示スイッチ。
【請求項２】
前記表示部は、
前記保持部と一体形成されている部分以外の部分を前記遮光部から露出させ、
前記保持部に光を照射する光源から前記露出した部分に照射された光を導光することにより発光することを特徴とする請求項１に記載の表示スイッチ。
【請求項３】
前記表示部と前記遮光部は、２色成形されることを特徴とする請求項２に記載の表示スイッチ。
【請求項４】
前記被保持部は、押圧により前記光源をオン／オフするプッシュスイッチに接続されることを特徴とする請求項３に記載の表示スイッチ。
【発明の詳細な説明】
【技術分野】
【０００１】
本発明は、表示スイッチに関し、特に、車両用のスイッチノブに設けられる表示スイッチに関する。
【背景技術】
【０００２】
従来のスイッチノブは、図１４に示すように、押圧バー３３を、導光可能な素材により形成し、かつ、発光面２１ｆから入射された光を表示部２１ｂに導光可能に、ノブ操作面３１ａの中央裏面から入力部材２１ａの発光面２１ｆに向けて延在させ、ノブ操作面３１ａが押されたときに押圧バー３３が押しボタンスイッチ２１の入力部材２１ａを押圧して接点部２１ｃが切り換えていた（例えば、特許文献１参照）。
【先行技術文献】
【特許文献】
【０００３】
【特許文献１】特開２００８−１９２４０７号公報
【発明の概要】
【発明が解決しようとする課題】
【０００４】
従来のスイッチノブの拡大部３３ａは、操作部３１の中央部において表示部３１ｂよりも広い面積を覆い、拡大部３３ａに近い側ほど断面積が拡がる円錐状に形成されている。そして、入力部材２１ａの発光面２１ｆの光が、押圧バー３３の内部を通って拡大部３３ａで拡散されながら操作部３１に導かれ、表示部３１ｂが照明される。また、このとき、押圧バー３３の拡大部３３ａでは、その円錐形状に基づいて、操作部３１側の端面において均一な光量に拡がる。この場合、押圧バー３３は、ノブ操作面３１ａの表示部３１ｂに重なって配置されているため、表示部３１ｂを全面的に照明することができる。
【０００５】
このように、従来のスイッチノブは、光量を均一に拡げ、表示部３１ｂを全面的に照明するために、円錐状に形成された押圧バー３３を備え、表示部３１ｂよりも広い面積を覆う拡大部３３ａを備える。この結果、図１５に示すように、操作部３１と押圧バー３３を１色成形した場合、拡大部３３ａに覆われた部分のスイッチノブの厚さが、拡大部３３ａに覆われていない部分の厚さに比べて極端に厚くなり、ヒケが生じやすくなる。ヒケとは、成形後の冷却過程における収縮に起因した形状劣化である。
【課題を解決するための手段】
【０００６】
本発明の表示スイッチは、導光部材により形成され、被保持部を保持する保持部と、前記導光部材により前記保持部と一体に形成されて、遮光部に埋め込まれ、前記保持部に照射された光を導光することにより発光する表示部とを備える。
【０００７】
この構成によれば、必要な部分を表示部として発光させることができるので、スイッチノブを全面的に照明する必要がなくなる。また、導光部と遮光部を異なる部材で形成することにより、各部分の厚さの差を小さくすることができ、ヒケを抑制することができる。
【０００８】
本発明の表示スイッチでは、前記表示部は、前記保持部と一体形成されている部分以外の部分を前記遮光部から露出させ、前記保持部に光を照射する光源から前記露出した部分に照射された光を導光することにより発光する。
【０００９】
この構成によれば、露出部から表示部へ光を導光することにより、表示部の照度が向上する。つまり、複数の導光部から光源の光を導光することにより、多くの光を取り込むことができ、表示部の発光照度が高くなる。
【００１０】
本発明の表示スイッチでは、前記表示部と前記遮光部は、２色成形される。
【００１１】
この構成によれば、表示部が直接発光するので、スイッチノブを全面的に証明する必要がなくなり、遮光部を薄く形成することができ、ヒケを抑制することができる。
【００１２】
本発明の表示スイッチでは、前記被保持部は、押圧により前記光源をオン／オフするプッシュスイッチに接続される。
【００１３】
この構成によれば、被保持部を保持する保持部を押圧することで、光源がオン／オフとなり、保持部が導光部として機能するとともに、押圧力をプッシュスイッチに伝える押圧力伝達部として機能する。
【発明の効果】
【００１４】
本発明の表示スイッチによれば、必要な部分を表示部として発光させることができるので、スイッチノブを全面的に照明する必要がなくなる。また、導光部と遮光部を異なる部材で形成することにより、各部分の厚さの差を比較的小さくすることができ、ヒケを抑制することができる。
【図面の簡単な説明】
【００１５】
【図１】スイッチノブ（表示スイッチ）を含む車両用照明装置の一例を示す図である。
【図２】ランプ部の分解図である。
【図３】（ａ）左側スイッチノブを拡大した図及び左側スイッチノブを反転させた図である。（ｂ）図３（ａ）の破線の断面を矢印Ａから見た図である。
【図４】（ａ）光源付スイッチユニットの斜視図である。（ｂ）図４（ａ）の破線の断面を矢印Ｂから見た図である。
【図５】スイッチノブ（左側スイッチノブ）の表示部が発光することを示した図である。
【図６】スイッチノブがランプ部に組み込まれた状態を示した図である。
【図７】図６の破線の断面を矢印Ｄから見たスイッチノブと光源付スイッチユニットを示した図である。
【図８】図６の破線の断面を矢印Ｅから見たスイッチノブと光源付スイッチユニットを示した図である。
【図９】表示部と押圧部（遮光部）が２色成形されていることを示した図である。
【図１０】（ａ）図６の矢印Ｄが示す破線で切断されたスイッチノブの斜視図である。（ｂ）図１０（ａ）の表示部付近を拡大した図である。
【図１１】バイパスが表示部の発光に影響を与えることを示した図である。
【図１２】拡散材を含んだ導光部材により形成される表示部を示した図である。
【図１３】バイパスの一部をカットした図である。
【図１４】従来のスイッチノブの構造を示した図である。
【図１５】従来のスイッチノブにヒケが生じることを示した図である。
【発明を実施するための形態】
【００１６】
以下、本発明の実施の形態の表示スイッチについて、図面を用いて説明する。図１は、本実施の形態のスイッチノブ（表示スイッチ）を含む車両用照明装置の一例を示す図である。図１に示すように、車両用照明装置１は、ランプ部１１と本体２２とを備える。ランプ部１１は、ベゼル２、ハウジング３、レンズ４、左側スイッチノブ５、右側スイッチノブ６、樹脂クリップ７、及びワイヤーハーネス・サブアッセンブリ（Ｗ／Ｈ
ＳＵＢ ＡＳＳＹ）８を備える。レンズ４、左側スイッチノブ５、及び右側スイッチノブ６は、ベゼル２に組み込まれる。ハウジング３は、ベゼル２及びワイヤーハーネス・サブアッセンブリ８を組み込む。ベゼル２、ハウジング３、レンズ４、左側スイッチノブ５、右側スイッチノブ６、及びワイヤーハーネス・サブアッセンブリ８を組み込んだランプ部１１は、樹脂クリップ７により本体２２に組み込まれる。
【００１７】
図２は、ランプ部１１の分解図である。図２に示すように、ランプ部１１には、ベゼル２、ハウジング３、レンズ４、左側スイッチノブ５、右側スイッチノブ６、樹脂クリップ７、及びワイヤーハーネス・サブアッセンブリ（Ｗ／Ｈ
ＳＵＢ ＡＳＳＹ）８が組み込まれている。また、ワイヤーハーネス・サブアッセンブリ８は、両側（左側スイッチノブ５及び右側スイッチノブ６に対向する位置）にそれぞれ光源付スイッチユニット９を備える。光源付スイッチユニット９は、ハウジング３の孔部１３を貫通して、左側スイッチノブ５及び右側スイッチノブ６にそれぞれ接続されている。
【００１８】
図３（ａ）は、左側スイッチノブ５を拡大した図及び左側スイッチノブ５を反転させた図である。図３（ｂ）は、図３（ａ）の破線の断面を矢印Ａから見た図である。なお、右側スイッチノブ６は、左側スイッチノブ５と左右対称に形成されている。図３に示すように、スイッチノブ（左側スイッチノブ５及び右側スイッチノブ６）は、ロックアーム（保持部）１０、表示部１５、押圧部１６、及び係止部１７を備える。ロックアーム（保持部）１０は、導光部材（透光性樹脂など）により形成され、ハウジング３の孔部１３を貫通した光源付スイッチユニット９の被保持部を保持する。表示部１５は、導光部材によりロックアーム（保持部）１０と一体に形成されて、遮光部材（非透光性樹脂など）により形成される押圧部（遮光部）１６に埋め込まれる。押圧部１６は、押圧されることにより、押圧がロックアーム（保持部）１０を介して光源付スイッチユニット９に加えられ、光源付スイッチユニット９の光源をオン／オフする。係止部１７は、スイッチノブ（左側スイッチノブ５及び右側スイッチノブ６）を、ベゼル２又はハウジング３に係止し、押圧部１６の押圧方向に移動可能とする。
【００１９】
ロックアーム（保持部）１０は、スイッチノブの内部中央付近に設けられ、ロックアーム１０の延伸方向が光源付スイッチユニット９のプッシュスイッチのスイッチ動作方向とほぼ一致するように設けられている。これにより、ロックアーム（保持部）１０は、押圧部１６からの押圧を光源付スイッチユニット９に直接伝えることができ、スイッチ操作性が向上する。
【００２０】
表示部１５は、スイッチノブの内部から露出する露出部２５を含む。バイパス２６は、遮光部材（非透光性樹脂など）により押圧部１６と一体に形成され、ロックアーム１０に接続されるとともに、露出部２５の一部を覆う。
【００２１】
図４（ａ）は、光源付スイッチユニット９の斜視図である。図４（ｂ）は、図４（ａ）の破線の断面を矢印Ｂから見た図である。図４に示すように、光源付スイッチユニット９は、光源（ＬＥＤ）１９、プッシュスイッチ２９、及び基板３９を備える。また、プッシュスイッチ２９は、被保持部３０を備える。
【００２２】
被保持部３０は、ロックアーム（保持部）１０に保持され、押圧部１６の押圧をプッシュスイッチ２９に伝える。プッシュスイッチ２９は、押圧部１６の押圧により、スイッチ動作方向に動き、光源１９をオン／オフする。光源１９は、基板３９に設けられ、プッシュスイッチ２９の近傍に設けられる。光源１９の光がロックアーム（保持部）１０及び露出部２５に直接照射されるように、光源１９が配置される。
【００２３】
ロックアーム（保持部）１０は、導光部材により形成されているため、光源１９から照射された光を導光する。そして、押圧部（遮光部）１６に埋め込まれる表示部１５も、導光部材により形成されているため、ロックアーム（保持部）１０に照射された光を導光して発光する。
【００２４】
図５は、スイッチノブ（左側スイッチノブ５）の表示部１５が発光することを示した図である。図５に示すように、光源１９からロックアーム１０を介して導光された光により、表示部１５が発光する。一方、表示部が埋め込まれている押圧部（遮光部）１６は、遮光部材（非透光性樹脂など）により形成されているので、発光しない。このように、必要な部分を表示部１５として発光させることができるので、押圧部１６（又は、操作部）側の端面において均一な光量に拡げる必要はなく、押圧部１６（又は、操作部）を全面的に照明する必要もない。なお、表示部１５の形状は、任意に決定される。
【００２５】
図６は、スイッチノブがランプ部１１に組み込まれた状態を示した図である。図６に示すように、スイッチノブの押圧部１６を押圧すると、光源１９の光が表示部１５に導光され、表示部１５が発光する。また、本実施の形態では、表示部１５は、車両用室内灯を表示している。したがって、スイッチノブの押圧部１６を押圧すると、レンズ４の内側に設けられる照明部（図示せず）が発光し、車両内の照明として機能する。
【００２６】
図７は、図６の破線の断面を矢印Ｄから見たスイッチノブと光源付スイッチユニット９を示した図である。図７に示すように、ロックアーム（保持部）１０は、導光部材により形成され、光源付スイッチユニット９の光源１９から照射された光を導光する。表示部１５は、導光部材によりロックアーム（保持部）１０と一体に形成されて、押圧部（遮光部）１６に埋め込まれ、ロックアーム１０に照射された光を導光することにより発光する。また、表示部１５は、ロックアーム（保持部）１０と一体形成されている部分以外の部分（露出部２５）を押圧部（遮光部）１６から露出させる。図７の断面図では、露出部２５は、バイパス２６により一部覆われているが、バイパス２６に覆われた部分以外は、押圧部１６の内側に露出している。そして、ロックアーム（保持部）１０に光を照射する光源１９から露出部２５に照射された光を導光することにより、表示部１５が発光する。このように、ロックアーム１０と露出部２５から表示部１５に光が導光されることにより、表示部１５の照度が向上する。本実施の形態では、光源１９は、基板３９に設けられているが、表示部１５の照度が向上する最適な位置に設けられればよい。例えば、図７に示すように、光源１９は、露出部２５に対向する位置に設けられてもよい。また、光源１９は、指向性が高い光源であって、ロックアーム１０又は露出部２５に光を直接照射してもよい。また、光源１９は、複数の光源であってもよい。
【００２７】
図８は、図６の破線の断面を矢印Ｅから見たスイッチノブと光源付スイッチユニット９を示した図である。図８に示すように、ロックアーム（保持部）１０は、被保持部３０を保持する。被保持部３０は、押圧により光源１９をオン／オフするプッシュスイッチ２９に接続されている。本実施の形態では、被保持部３０は、プッシュスイッチ２９の突出部２３の周方向に設けられた溝（凹部）であって、ロックアーム（保持部）１０の係止部２０が溝（凹部）に係止することで、ロックアーム（保持部）１０に保持される。被保持部３０を保持するロックアーム（保持部）１０を押圧することで、光源１９がオン／オフとなり、ロックアーム（保持部）１０が導光部として機能するとともに、押圧力をプッシュスイッチ２９に伝える押圧力伝達部として機能する。
【００２８】
図９は、表示部１５と押圧部（遮光部）１６が２色成形されていることを示した図である。図９に示すように、ロックアーム（保持部）１０、表示部１５、及び露出部２５が、導光部材で一体形成されている。そして、２色成形（ダブルモールド）によって、押圧部１６が、一体形成された導光部（ロックアーム１０、表示部１５、及び露出部２５）に成形される。この場合、表示部１５が直接発光するので、押圧部１６（又は、操作部）を全面的に照明する必要がなく、押圧部１６は遮光部材で薄く形成される。また、表示部１５と押圧部（遮光部）１６が２色成形によって別々に成形されることから、成形における厚さの差を、１色成形の場合と比べて小さくすることができ、ヒケが生じ難くなる。特に、押圧部１６における厚さの差が小さくなるので、押圧部１６の表面のヒケが生じ難くなる。この結果、スイッチノブの外観部であり、操作者が実際に触れて押圧する部分である押圧部１６の表面のヒケを抑制することができ、スイッチノブの美感や操作性を向上させることができる。
【００２９】
以上、本発明にかかる実施の形態について説明したが、本発明はこれらに限定されるものではなく、請求項に記載された範囲内において変更・変形することが可能である。
【００３０】
図１０（ａ）は、図６の矢印Ｄが示す破線で切断されたスイッチノブの斜視図である。図１０（ｂ）は、図１０（ａ）の表示部１５付近を拡大した図である。図１０に示すように、２色成形の場合、１色目が、ロックアーム１０、表示部１５、及び露出部２５として、透光性樹脂により形成され、２色目が、押圧部１６として、非透光樹脂により形成される。図１０の例では、表示部１５の形状に浮き島部が含まれる。浮き島部は、バイパス２６によりバイパスされることで成形される。バイパス２６は、遮光部材により形成される露出部２５の一部を覆うため、露出部２５に照射される光の一部が阻害される。
【００３１】
図１１は、バイパス２６が表示部１５の発光に影響を与えることを示した図である。図１１に示すように、スイッチノブの内側に設けられたバイパス２６が、露出部２５の一部を覆うことにより、表示部１５に光ムラが発生する。この光ムラを防止するために、表示部１５は、拡散材を含んだ導光部材（透光性樹脂など）により形成される。
【００３２】
図１２は、拡散材を含んだ導光部材により形成される表示部１５を示した図である。図１２（ａ）に示すように、光を分散する拡散材を表示部１５に混入させることにより、表示部１５において光を散乱させる。この結果、図１２（ｂ）に示すように、図１１と比較して、露出部２５の一部を覆うバイパス２６の影が緩和され、光ムラが目立たなくなる。
【００３３】
また、バイパス２６の光ムラを防止するために、２色成形後に、露出部２５を覆うバイパス２６の部分がカットされてもよい。図１３は、バイパス２６の一部をカットした図である。図１３（ｂ）に示すように、図１３（ａ）のバイパス２６が取り除かれる。この結果、露出部２５の全面が、スイッチノブの内側に露出し、光源１９の光を阻害するものがなくなるので、表示部１５の照度が向上するとともに、バイパス２６による光ムラがなくなる。
【産業上の利用可能性】
【００３４】
本発明に係る表示スイッチは、必要な部分を表示部として発光させることにより、スイッチノブを全面的に照明する必要がなくなるとともに、導光部と遮光部を異なる部材で形成することにより、ヒケを抑制することができ、車両用のスイッチノブに設けられる表示スイッチなどとして有用である。
【符号の説明】
【００３５】
１  車両用照明装置
２  ベゼル
３  ハウジング
４  レンズ
５  左側スイッチノブ
６  右側スイッチノブ
７  樹脂クリップ
８  ワイヤーハーネス・サブアッセンブリ
９  光源付スイッチユニット
１０  ロックアーム（保持部）
１１  ランプ部
１３  孔部
１５  表示部
１６  押圧部
１７  係止部
１９  光源
２０  係止部
２２  本体
２３  突出部
２５  露出部
２６  バイパス
２９  プッシュスイッチ
３０  被保持部
３９  基板
【図１】
2013235744.tif 000003
【図２】
2013235744.tif 000004
【図３】
2013235744.tif 000005
【図４】
2013235744.tif 000006
【図５】
2013235744.tif 000007
【図６】
2013235744.tif 000008
【図７】
2013235744.tif 000009
【図８】
2013235744.tif 000010
【図９】
2013235744.tif 000011
【図１０】
2013235744.tif 000012
【図１１】
2013235744.tif 000013
【図１２】
2013235744.tif 000014
【図１３】
2013235744.tif 000015
【図１４】
2013235744.tif 000016
【図１５】
2013235744.tif 000017